(57)【要約】      （修正有）【課題】高温状態での停止からの再起動時に、通常起動時とは異なる再起動制御を実行することにより、セルへの負担を軽減して耐久性を向上させるとともに、運転の再起動時の起動時間を大幅に短縮する固体電解質型燃料電池を提供する。【解決手段】燃料電池モジュール２内に配置された燃料電池セル１４と、改質器２０と、この改質状態温度を検出する改質器温度センサと、燃料電池モジュールの運転を制御する制御部を有しており、燃料電池運転の停止が実行されている状態で、部分酸化改質反応（ＰＯＸ）温度帯域内の高温領域で運転の再起動が実行された場合には、通常起動時のＰＯＸによる起動を禁止して、この通常起動時のＰＯＸとは異なる再起動制御を実行する。【選択図】図１
2010238623.tif 000002
【特許請求の範囲】
【請求項１】
燃料ガスと酸化剤ガスを電気化学的に反応させることにより発電する固体電解質型燃料電池であって、
固体電解質型の燃料電池モジュール内に配置された固体電解質型の燃料電池セルと、
燃料ガスを改質して上記燃料電池セルに供給する改質器であって、所定の温度帯域に応じて燃料ガスと酸化剤ガスを化学反応させることにより燃料ガスを部分酸化改質する改質反応であるＰＯＸ、及び、燃料ガスと水蒸気を化学反応させることにより燃料ガスを水蒸気改質する改質反応であるＳＲ、及び、上記ＰＯＸと上記ＳＲとを併用させることにより燃料ガスをオートサーマル改質する改質反応であるＡＴＲのいずれかの改質反応によって燃料ガスを水素に改質する上記改質器と、
上記改質器による改質状態を変更するための改質状態温度を検出する改質状態温度検出手段と、
上記燃料電池モジュールの運転を制御する制御手段と、を有し、
上記制御手段は、上記燃料電池モジュールの運転の起動を制御する起動制御手段と、上記燃料電池モジュールの運転の停止を制御する停止制御手段と、を備え、
上記起動制御手段は、燃料ガスを着火して燃焼させた後、上記改質状態温度検出手段が検出した上記改質状態温度が、上記ＰＯＸが開始するＰＯＸ開始温度よりも低い場合には燃料ガスの燃焼熱によって上記改質器を昇温させる燃焼運転を実行し、
上記改質状態温度が上記ＰＯＸ開始温度以上であり且つ上記水蒸気改質が可能な温度未満のＰＯＸ温度帯域内にある場合には、上記改質器を昇温させるために通常起動時のＰＯＸを実行し、
上記改質状態温度が上記水蒸気改質が可能な温度以上であり且つ所定の定常温度未満のＡＴＲ温度帯域内にある場合には、上記改質器を昇温させるために通常起動時のＡＴＲを実行し、
上記改質状態温度が、上記所定の定常温度以上である場合には、上記改質器を昇温させるために通常起動時のＳＲを実行し、
上記起動制御手段は、更に、上記燃料電池モジュールが高温状態からの停止に伴って上記停止制御手段による停止処理が実行され、上記ＰＯＸ温度帯域内で運転の再起動が実行された場合には、上記改質状態温度が少なくとも上記ＰＯＸ温度帯域内の高温領域では上記通常起動時のＰＯＸによる起動を禁止して、この通常起動時のＰＯＸとは異なる再起動制御を実行することを特徴とする固体電解質型燃料電池。
【請求項２】
上記再起動制御は、上記改質状態温度が上記ＡＴＲ温度帯域内にある場合には上記ＡＴＲによる再起動を実行する一方で、上記改質状態温度が上記ＰＯＸ温度帯域内にある場合には通常起動時のＰＯＸによる再起動を禁止すると共に、上記改質状態温度が所定温度低下するまで上記停止制御手段による運転の停止を継続し、所定温度以下となった後に再起動を実行する請求項１記載の固体電解質型燃料電池。
【請求項３】
上記再起動制御は、上記改質状態温度が上記通常起動時のＰＯＸ温度帯域内の所定温度以上である場合には通常起動時のＰＯＸによる再起動を禁止し、上記改質状態温度が所定温度未満の温度まで上記停止制御手段による運転の停止を継続し、所定温度以下となった後にＰＯＸによる再起動を実行する請求項２記載の固体電解質型燃料電池。
【請求項４】
上記再起動制御は、上記改質状態温度が上記通常起動時のＰＯＸ温度帯域の第１の所定温度以上にある場合にはＡＴＲによる再起動を実行し、上記ＰＯＸ温度帯域内の第１より低い第２の温度帯域ではＰＯＸによる再起動を実行し、第１と第２の間の第３の温度帯域では再起動を禁止し、上記改質状態温度が所定温度未満の温度に低下するまで上記停止制御手段による運転の停止を継続し、所定温度以下となった後にＰＯＸによる再起動を実行する請求項２又は請求項３に記載の固体電解質型燃料電池。
【請求項５】
上記再起動制御で行われるＰＯＸは、上記通常起動時のＰＯＸよりも酸化剤ガスの供給量を少なくするように構成されている請求項３又は請求項４記載の固体電解質型燃料電池。
【発明の詳細な説明】
【技術分野】
【０００１】
本発明は、固体電解質型燃料電池に係わり、特に、燃料ガスと酸化剤ガスを電気化学的に反応させることにより発電する固体電解質型燃料電池に関する。
【背景技術】
【０００２】
固体電解質型燃料電池（Solid Oxide Fuel Cell：以下「ＳＯＦＣ」とも言う）は、電解質として酸化物イオン導電性固体電解質を用い、その両側に電極を取り付け、一方の側に燃料ガスを供給し、他方の側に酸化剤（空気、酸素等）を供給して、比較的高温で動作する燃料電池である。
【０００３】
このＳＯＦＣにおいては、酸化物イオン導電性固体電解質を通過した酸素イオンと燃料との反応によって水蒸気又は二酸化炭素を生成し、電気エネルギー及び熱エネルギーが発生する。電気エネルギーは、ＳＯＦＣ外部に取り出されて、各種電気的用途に使用される。一方、熱エネルギーは、改質器、燃料、酸化剤等に伝達され、これらの温度上昇に使用される。
【０００４】
従来のＳＯＦＣにおいては、運転中に燃料ガスの供給系統のマイコンメータが異常を検知したり、地震等に伴う異常が発生した際、或いは補機類のメンテナンスなどを行う際には、運転を一時的に停止させる必要がある。そして、これらの異常などの一時的な要因が解消した後、或いは、メンテナンスが終了した後には、安定した発電に向けて、できるだけ短い時間での迅速な運転の再起動が要求される。
そこで、燃料電池システムにおける運転の再起動の迅速化を図るために、従来のＳＯＦＣにおいては、例えば、特許文献１に記載されているように、燃料電池システムの所定の制御処理中に再起動要求がなされた場合には、燃料電池システムの停止処理ルーチンをすべて実行した後に最初の起動処理ルーチンから起動処理を実行するのではなく、起動処理を再起動要求がなされた時点の制御処理と同条件の時点に移行して実行するようにしたものが提案されている。
【０００５】
一方、例えば、特許文献２に記載されている従来のＳＯＦＣでは、燃料電池セルスタックを収容している収容容器内に配置することによって熱効率を高めると共に、余剰ガスを収容容器内で燃焼させることによって従来よりも高温の燃焼ガスで加熱でき、低負荷運転時にも水蒸気改質に必要な熱量を得ることができるものが提案されている。この従来のＳＯＦＣにおいては、迅速な起動を行うために、起動時に燃料改質器の温度が部分酸化反応開始温度未満の場合には燃焼ガスによる燃焼熱によって燃料改質器を加熱する加熱運転を行い、燃料改質器の温度が部分酸化反応開始温度以上で水蒸気改質可能温度未満の温度帯域内の温度まで上昇すると、部分酸化反応の反応熱と燃焼ガスによる燃焼熱によって燃料改質器を加熱して部分酸化改質反応（以下「ＰＯＸ」と呼ぶ）を行うようになっている。さらに、燃料改質器の温度が水蒸気改質可能温度以上で定常温度未満の温度帯域まで上昇すると、部分酸化反応の反応熱と燃焼ガスによる燃焼熱と水蒸気改質反応の吸熱を制御して燃料改質器を加熱し、部分酸化改質と水蒸気改質とを併用したオートサーマル改質反応（以下「ＡＴＲ」と呼ぶ）を行い、燃料改質器の温度が定常状態になると、燃焼ガスによる燃焼熱により燃料改質器を加熱し、水蒸気改質反応（以下「ＳＲ」と呼ぶ）を行うようになっている。すなわち、このような従来のＳＯＦＣにおいては、起動時の燃料改質器の温度上昇に伴ってＰＯＸ、ＡＴＲ、ＳＲという順序を踏まえて燃料の改質を行いながら起動を実行するため、安定した迅速な起動ができるようになっている。
【先行技術文献】
【特許文献】
【０００６】
【特許文献１】特開２００６−２６９１９６号公報
【特許文献２】特開２００４−３１９４２０号公報
【発明の概要】
【発明が解決しようとする課題】
【０００７】
しかしながら、上述した特許文献１及び特許文献２のＳＯＦＣにおいては、運転の再起動時には、停止中の燃料電池セルやスタックに残存している余熱も考慮すると燃料電池セルやスタックの一部が高温状態になっていることが少なくない。
これに関し、本発明者らは、このような燃料電池セルやスタックが高温状態にあるときに、特にＰＯＸによって再起動を行うとセルに大きな負担を与えてしまうという重要な新たな課題を見出した。
より具体的には、制御上の改質器温度はＰＯＸ運転が可能な状態に見えても、停止運転制御中からの再起動では燃料電池セルやスタックの一部が高温状態となっていることがあるため、燃料改質器の温度が部分酸化反応開始温度以上で水蒸気改質可能温度未満の温度帯域内にあるとしてＰＯＸを行ってしまうと、ＰＯＸは空気を投入して部分酸化を伴う発熱反応であるため、セルに酸化影響を与えたり、異常な高温状態になることがあり、これがセル自身の耐久性や発電能力を除々に低下させてしまうという重要な課題を見出した。この課題を解決し、さらに再起動に要する時間をも大幅に短縮させることをも実現すべくなされたものである。
【０００８】
一方、上述した特許文献１及び特許文献２においては、再起動時にセルを保護しつつ、再起動の更なる迅速化を図るために高温からの温度低下時における再起動時にあっては、通常起動時のＰＯＸ温度帯域であるとしても通常起動時のＰＯＸを禁止して、通常起動時のＰＯＸとは異なる再起動制御を実行するという思想については何ら開示も示唆もされておらず、上述した新たな課題を解決するものではない。
【０００９】
そこで、本発明は、上述した新たな課題を解決するためになされたものであり、高温からの温度低下を伴った停止時にあっては、通常起動時のＰＯＸとは異なる再起動制御を代わりに実行することにより、セルへの負担を軽減して耐久性を向上させると共に、再起動用に設定された再起動用制御によって再起動を行うため起動時間をセルへの影響を防止しつつ短縮することができる固体電解質型燃料電池（ＳＯＦＣ）を提供することを目的としている。
【課題を解決するための手段】
【００１０】
上記の目的を達成するために、本発明は、燃料ガスと酸化剤ガスを電気化学的に反応させることにより発電する固体電解質型燃料電池であって、固体電解質型の燃料電池モジュール内に配置された固体電解質型の燃料電池セルと、燃料ガスを改質して上記燃料電池セルに供給する改質器であって、所定の温度帯域に応じて燃料ガスと酸化剤ガスを化学反応させることにより燃料ガスを部分酸化改質する改質反応であるＰＯＸ、及び、燃料ガスと水蒸気を化学反応させることにより燃料ガスを水蒸気改質する改質反応であるＳＲ、及び、上記ＰＯＸと上記ＳＲとを併用させることにより燃料ガスをオートサーマル改質する改質反応であるＡＴＲのいずれかの改質反応によって燃料ガスを水素に改質する上記改質器と、上記改質器による改質状態を変更するための改質状態温度を検出する改質状態温度検出手段と、上記燃料電池モジュールの運転を制御する制御手段と、を有し、上記制御手段は、上記燃料電池モジュールの運転の起動を制御する起動制御手段と、上記燃料電池モジュールの運転の停止を制御する停止制御手段と、を備え、上記起動制御手段は、燃料ガスを着火して燃焼させた後、上記改質状態温度検出手段が検出した上記改質状態温度が、上記ＰＯＸが開始するＰＯＸ開始温度よりも低い場合には燃料ガスの燃焼熱によって上記改質器を昇温させる燃焼運転を実行し、上記改質状態温度が上記ＰＯＸ開始温度以上であり且つ上記水蒸気改質が可能な温度未満のＰＯＸ温度帯域内にある場合には、上記改質器を昇温させるために通常起動時のＰＯＸを実行し、上記改質状態温度が上記水蒸気改質が可能な温度以上であり且つ所定の定常温度未満のＡＴＲ温度帯域内にある場合には、上記改質器を昇温させるために通常起動時のＡＴＲを実行し、上記改質状態温度が、上記所定の定常温度以上である場合には、上記改質器を昇温させるために通常起動時のＳＲを実行し、上記起動制御手段は、更に、上記燃料電池モジュールが高温状態からの停止に伴って上記停止制御手段による停止処理が実行され、上記ＰＯＸ温度帯域内で運転の再起動が実行された場合には、上記改質状態温度が少なくとも上記ＰＯＸ温度帯域内の高温領域では上記通常起動時のＰＯＸによる起動を禁止して、この通常起動時のＰＯＸとは異なる再起動制御を実行することを特徴としている。
このように構成された本発明においては、燃料電池モジュールが高温の状態から停止され停止制御手段によって停止処理が実行されている際に、通常起動時のＰＯＸ温度帯域内で再起動が発生した際には、改質状態温度が通常起動時のＰＯＸ温度帯域内にあっても、少なくともＰＯＸ温度帯域内の高温領域にある場合は通常起動時に用いられるＰＯＸの実行を禁止して、通常起動時のＰＯＸとは異なる再起動制御を実行するように構成している。この結果、通常起動時のＰＯＸをそのまま実行した場合に比べて、見かけ上の温度が低くても燃料電池セルや改質器の一部などに蓄えられた大きな余熱に起因して燃料電池セルに酸化の影響を与えたり、予期しない高温状態にしてしまうことによるセルへの負担を軽減することができ、セルの耐久性を向上させることができる。また、燃料電池セルや改質器に残存している余熱を積極的に利用した再起動制御を実行するように工夫したことにより、セルに影響を与えることなく燃料電池モジュールの温度回復を早めて起動時間を短縮することができる。
【００１１】
本発明において、好ましくは、上記再起動制御は、上記改質状態温度が上記ＡＴＲ温度帯域内にある場合には上記ＡＴＲによる再起動を実行する一方で、上記改質状態温度が上記ＰＯＸ温度帯域内にある場合には通常起動時のＰＯＸによる再起動を禁止すると共に、上記改質状態温度が所定温度低下するまで上記停止制御手段による運転の停止を継続し、所定温度以下となった後に再起動を実行する。
このように構成された本発明においては、起動制御手段による運転の再起動時に、通常起動時のＰＯＸ温度帯域では通常起動時のＰＯＸによる再起動を禁止する共に、改質状態温度が所定温度低下するのを待った後に再起動を実行するため、高温状態でＰＯＸを実行することによるセルへのダメージを抑制しつつ速やかに再起動を行うことができる。
【００１２】
更に本発明においては、上記再起動制御は、上記改質状態温度が上記通常起動時のＰＯＸ温度帯域内の所定温度以上である場合には通常起動時のＰＯＸによる再起動を禁止し、上記改質状態温度が所定温度未満の温度まで上記停止制御手段による運転の停止を継続し、所定温度以下となった後にＰＯＸによる再起動を実行する。
このように構成された本発明においては、起動制御手段による運転の再起動時に、通常起動時のＰＯＸ温度帯域では通常起動時のＰＯＸによる再起動を禁止する共に、改質状態温度が所定温度低下するのを待った後にＰＯＸで再起動を実行するため、高温状態でＰＯＸを実行することによるセルへのダメージを抑制しつつ、ＰＯＸによる発熱反応によって迅速に燃料電池モジュールの温度回復を図り速やかに通常運転に移行させることができる。
【００１３】
本発明において、好ましくは、上記再起動制御は、上記改質状態温度が上記通常起動時のＰＯＸ温度帯域の第１の所定温度以上にある場合にはＡＴＲによる再起動を実行し、上記ＰＯＸ温度帯域内の第１より低い第２の温度帯域ではＰＯＸによる再起動を実行し、第１と第２の間の第３の温度帯域では再起動を禁止し、上記改質状態温度が所定温度未満の温度に低下するまで上記停止制御手段による運転の停止を継続し、所定温度以下となった後にＰＯＸによる再起動を実行する。
このように構成された本発明おいては、再起動時に燃料電池セルや改質器に残存している余熱が積極的に利用できる通常起動時のＰＯＸの温度帯域では、ＡＴＲを実行するように通常起動時のＰＯＸ温度帯域内の第１の所定温度以上までＡＴＲの運転範囲を拡大し、酸化影響のない第２温度以下ではＰＯＸによる再起動を図り、中間温度では再起動を禁止して停止処理制御によって温度降下を図った上で再起動を行うことによってセルへの影響を抑えながら安定した状態でかつ短時間で温度上昇を図ることができる。
【００１４】
本発明において、好ましくは、上記再起動制御で行われるＰＯＸは、上記通常起動時のＰＯＸよりも酸化剤ガスの供給量を少なくするように構成されている。
このように構成された本発明においては、固体電解質型燃料電池セルや改質器に残存している余熱を積極的に利用することにより迅速な起動を可能にする一方で、酸化剤ガスが多く投入されることによって余熱の影響で燃料電池セルに酸化影響を与えることを防止できる。
【発明の効果】
【００１５】
本発明の固体電解質型燃料電池（ＳＯＦＣ）によれば、高温状態からの停止時における再起動時にあっては、通常起動時のＰＯＸを禁止する代わりに、この通常起動時のＰＯＸとは異なる再起動制御を実行することにより、セルへの負担を軽減して耐久性を向上させることができる共に、余熱を積極的に利用した運転によって再起動時の起動時間を大幅に短縮することができる。
【図面の簡単な説明】
【００１６】
【図１】本発明の一実施形態による固体電解質型燃料電池（ＳＯＦＣ）を示す全体構成図である。
【図２】本発明の一実施形態による固体電解質型燃料電池（ＳＯＦＣ）の燃料電池モジュールを示す正面断面図である。
【図３】図２のIII-III線に沿った断面図である。
【図４】本発明の一実施形態による固体電解質型燃料電池（ＳＯＦＣ）の燃料電池セルユニットを示す部分断面図である。
【図５】本発明の一実施形態による固体電解質型燃料電池（ＳＯＦＣ）の燃料電池セルスタックを示す斜視図である。
【図６】本発明の一実施形態による固体電解質型燃料電池（ＳＯＦＣ）を示すブロック図である。
【図７】本発明の一実施形態による固体電解質型燃料電池（ＳＯＦＣ）の起動時の動作を示すタイムチャートである。
【図８】本発明の一実施形態による固体電解質型燃料電池（ＳＯＦＣ）の運転停止時の動作を示すタイムチャートである。
【図９】本発明の一実施形態による固体電解質型燃料電池（ＳＯＦＣ）の通常起動時と再起動時の動作の各運転状態における燃料流量、改質用空気流量、発電用空気流量、水流量、及び、改質器及びスタックの移行温度条件を示すデータテーブルである。
【図１０】本発明の一実施形態による固体電解質型燃料電池（ＳＯＦＣ）において再起動を行うための再起動制御フローを示すフローチャートである。
【図１１】図１０に示す本発明の一実施形態による固体電解質型燃料電池（ＳＯＦＣ）の再起動制御フローに基づいて再起動を実行した場合の動作を示すタイムチャートについて、通常起動時の動作を示すタイムチャートと比較した図である。
【発明を実施するための形態】
【００１７】
次に、添付図面を参照して、本発明の実施形態による固体電解質型燃料電池（ＳＯＦＣ）を説明する。
図１は、本発明の一実施形態による固体電解質型燃料電池（ＳＯＦＣ）を示す全体構成図である。この図１に示すように、本発明の一実施形態による固体電解質型燃料電池（ＳＯＦＣ）１は、燃料電池モジュール２と、補機ユニット４を備えている。
【００１８】
燃料電池モジュール２は、ハウジング６を備え、このハウジング６内部には、断熱材（図示せず但し断熱材は必須の構成ではなく、なくても良いものである。）を介して密封空間８が形成されている。なお、断熱材は設けないようにしても良い。この密閉空間８の下方部分である発電室１０には、燃料ガスと酸化剤（空気）とにより発電反応を行う燃料電池セル集合体１２が配置されている。この燃料電池セル集合体１２は、１０個の燃料電池セルスタック１４（図５参照）を備え、この燃料電池セルスタック１４は、１６本の燃料電池セルユニット１６（図４参照）から構成されている。このように、燃料電池セル集合体１２は、１６０本の燃料電池セルユニット１６を有し、これらの燃料電池セルユニット１６の全てが直列接続されている。
【００１９】
燃料電池モジュール２の密封空間８の上述した発電室１０の上方には、燃焼室１８が形成され、この燃焼室１８で、発電反応に使用されなかった残余の燃料ガスと残余の酸化剤（空気）とが燃焼し、排気ガスを生成するようになっている。
また、この燃焼室１８の上方には、燃料ガスを改質する改質器２０が配置され、前記残余ガスの燃焼熱によって改質器２０を改質反応が可能な温度となるように加熱している。さらに、この改質器２０の上方には、燃焼熱を受けて空気を加熱するための空気用熱交換器２２が配置されている。
【００２０】
次に、補機ユニット４は、水道等の水供給源２４からの水を貯水してフィルターにより純水とする純水タンク２６と、この貯水タンクから供給される水の流量を調整する水流量調整ユニット２８（モータで駆動される「水ポンプ」等）を備えている。また、補機ユニット４は、都市ガス等の燃料供給源３０から供給された燃料ガスを遮断するガス遮断弁３２と、燃料ガスから硫黄を除去するための脱硫器３６と、燃料ガスの流量を調整する燃料流量調整ユニット３８（モータで駆動される「燃料ポンプ」等）を備えている。さらに、補機ユニット４は、空気供給源４０から供給される酸化剤である空気を遮断する電磁弁４２と、空気の流量を調整する改質用空気流量調整ユニット４４及び発電用空気流量調整ユニット４５（モータで駆動される「空気ブロア」等）と、改質器２０に供給される改質用空気を加熱する第１ヒータ４６と、発電室に供給される発電用空気を加熱する第２ヒータ４８とを備えている。これらの第１ヒータ４６と第２ヒータ４８は、起動時の昇温を効率よく行うために設けられているが、省略しても良い。
【００２１】
次に、燃料電池モジュール２には、排気ガスが供給される温水製造装置５０が接続されている。この温水製造装置５０には、水供給源２４から水道水が供給され、この水道水が排気ガスの熱により温水となり、図示しない外部の給湯器の貯湯タンクへ供給されるようになっている。
また、燃料電池モジュール２には、燃料ガスの供給量等を制御するための制御ボックス５２が取り付けられている。
さらに、燃料電池モジュール２には、燃料電池モジュールにより発電された電力を外部に供給するための電力取出部（電力変換部）であるインバータ５４が接続されている。
【００２２】
次に、図２及び図３により、本発明の実施形態による固体電解質型燃料電池（ＳＯＦＣ）の燃料電池モジュールの内部構造を説明する。図２は、本発明の一実施形態による固体電解質型燃料電池（ＳＯＦＣ）の燃料電池モジュールを示す側面断面図であり、図３は、図２のIII-III線に沿って断面図である。
図２及び図３に示すように、燃料電池モジュール２のハウジング６内の密閉空間８には、上述したように、下方から順に、燃料電池セル集合体１２、改質器２０、空気用熱交換器２２が配置されている。
【００２３】
改質器２０は、その上流端側に純水を導入するための純水導入管６０と改質される燃料ガスと改質用空気を導入するための被改質ガス導入管６２が取り付けられ、また、改質器２０の内部には、上流側から順に、蒸発部２０ａと改質部２０ｂを形成され、改質部２０ｂには改質触媒が充填されている。この改質器２０に導入された水蒸気（純水）が混合された燃料ガス及び空気は、改質器２０内に充填された改質触媒により改質される。改質触媒としては、アルミナの球体表面にニッケルを付与したものや、アルミナの球体表面にルテニウムを付与したものが適宜用いられる。
【００２４】
この改質器２０の下流端側には、燃料ガス供給管６４が接続され、この燃料ガス供給管６４は、下方に延び、さらに、燃料電池セル集合体１２の下方に形成されたマニホールド６６内で水平に延びている。燃料ガス供給管６４の水平部６４ａの下方面には、複数の燃料供給孔６４ｂが形成されており、この燃料供給孔６４ｂから、改質された燃料ガスがマニホールド６６内に供給される。
【００２５】
このマニホールド６６の上方には、上述した燃料電池セルスタック１４を支持するための貫通孔を備えた下支持板６８が取り付けられており、マニホールド６６内の燃料ガスが、燃料電池セルユニット１６内に供給される。
【００２６】
次に、改質器２０の上方には、空気用熱交換器２２が設けられている。この空気用熱交換器２２は、上流側に空気集約室７０、下流側に２つの空気分配室７２を備え、これらの空気集約室７０と空気分配室７２は、６個の空気流路管７４により接続されている。ここで、図３に示すように、３個の空気流路管７４が一組（７４ａ，７４ｂ，７４ｃ，７４ｄ，７４ｅ，７４ｆ）となっており、空気集約室７０内の空気が各組の空気流路管７４からそれぞれの空気分配室７２へ流入する。
【００２７】
空気用熱交換器２２の６個の空気流路管７４内を流れる空気は、燃焼室１８で燃焼して上昇する排気ガスにより予熱される。
空気分配室７２のそれぞれには、空気導入管７６が接続され、この空気導入管７６は、下方に延び、その下端側が、発電室１０の下方空間に連通し、発電室１０に余熱された空気を導入する。
【００２８】
次に、マニホールド６６の下方には、排気ガス室７８が形成されている。また、図３に示すように、ハウジング６の長手方向に沿った面である前面６ａと後面６ｂの内側には、上下方向に延びる排気ガス通路８０が形成され、この排気ガス通路８０の上端側は、空気用熱交換器２２が配置された空間と連通し、下端側は、排気ガス室７８と連通している。また、排気ガス室７８の下面のほぼ中央には、排気ガス排出管８２が接続され、この排気ガス排出管８２の下流端は、図１に示す上述した温水製造装置５０に接続されている。
図２に示すように、燃料ガスと空気との燃焼を開始するための点火装置８３が、燃焼室１８に設けられている。
【００２９】
次に図４により燃料電池セルユニット１６について説明する。図４は、本発明の一実施形態による固体電解質型燃料電池（ＳＯＦＣ）の燃料電池セルユニットを示す部分断面図である。
図４に示すように、燃料電池セルユニット１６は、燃料電池セル８４と、この燃料電池セル８４の上下方向端部にそれぞれ接続された内側電極端子８６とを備えている。
燃料電池セル８４は、上下方向に延びる管状構造体であり、内部に燃料ガス流路８８を形成する円筒形の内側電極層９０と、円筒形の外側電極層９２と、内側電極層９０と外側電極層９２との間にある電解質層９４とを備えている。この内側電極層９０は、燃料ガスが通過する燃料極であり、（−）極となり、一方、外側電極層９２は、空気と接触する空気極であり、（＋）極となっている。
【００３０】
燃料電池セル１６の上端側と下端側に取り付けられた内側電極端子８６は、同一構造であるため、ここでは、上端側に取り付けられた内側電極端子８６について具体的に説明する。内側電極層９０の上部９０ａは、電解質層９４と外側電極層９２に対して露出された外周面９０ｂと上端面９０ｃとを備えている。内側電極端子８６は、導電性のシール材９６を介して内側電極層９０の外周面９０ｂと接続され、さらに、内側電極層９０の上端面９０ｃとは直接接触することにより、内側電極層９０と電気的に接続されている。内側電極端子８６の中心部には、内側電極層９０の燃料ガス流路８８と連通する燃料ガス流路９８が形成されている。
【００３１】
内側電極層９０は、例えば、Ｎｉと、ＣａやＹ、Ｓｃ等の希土類元素から選ばれる少なくとも一種をドープしたジルコニアとの混合体、Ｎｉと、希土類元素から選ばれる少なくとも一種をドープしたセリアとの混合体、Ｎｉと、Ｓｒ、Ｍｇ、Ｃｏ、Ｆｅ、Ｃｕから選ばれる少なくとも一種をドープしたランタンガレードとの混合体、の少なくとも一種から形成される。
【００３２】
電解質層９４は、例えば、Ｙ、Ｓｃ等の希土類元素から選ばれる少なくとも一種をドープしたジルコニア、希土類元素から選ばれる少なくとも一種をドープしたセリア、Ｓｒ、Ｍｇから選ばれる少なくとも一種をドープしたランタンガレート、の少なくとも一種から形成される。
【００３３】
外側電極層９２は、例えば、Ｓｒ、Ｃａから選ばれた少なくとも一種をドープしたランタンマンガナイト、Ｓｒ、Ｃｏ、Ｎｉ、Ｃｕから選ばれた少なくとも一種をドープしたランタンフェライト、Ｓｒ、Ｆｅ、Ｎｉ、Ｃｕから選ばれた少なくとも一種をドープしたランタンコバルタイト、銀、などの少なくとも一種から形成される。
【００３４】
次に図５により燃料電池セルスタック１４について説明する。図５は、本発明の一実施形態による固体電解質型燃料電池（ＳＯＦＣ）の燃料電池セルスタックを示す斜視図である。
図５に示すように、燃料電池セルスタック１４は、１６本の燃料電池セルユニット１６を備え、これらの燃料電池セルユニット１６の下端側及び上端側が、それぞれ、セラミック製の下支持板６８及び上支持板１００により支持されている。これらの下支持板６８及び上支持板１００には、内側電極端子８６が貫通可能な貫通穴６８ａ及び１００ａがそれぞれ形成されている。
【００３５】
さらに、燃料電池セルユニット１６には、集電体１０２及び外部端子１０４が取り付けられている。この集電体１０２は、燃料極である内側電極層９０に取り付けられた内側電極端子８６と電気的に接続される燃料極用接続部１０２ａと、空気極である外側電極層９２の外周面全体と電気的に接続される空気極用接続部１０２ｂとにより一体的に形成されている。空気極用接続部１０２ｂは、外側電極層９２の表面を上下方向に延びる鉛直部１０２ｃと、この鉛直部１０２ｃから外側電極層９２の表面に沿って水平方向に延びる多数の水平部１０２ｄとから形成されている。また、燃料極用接続部１０２ａは、空気極用接続部１０２ｂの鉛直部１０２ｃから燃料電池セルユニット１６の上下方向に位置する内側電極端子８６に向って斜め上方又は斜め下方に向って直線的に延びている。
【００３６】
さらに、燃料電池セルスタック１４の端（図５では左端の奥側及び手前側）に位置する２個の燃料電池セルユニット１６の上側端及び下側端の内側電極端子８６には、それぞれ外部端子１０４が接続されている。これらの外部端子１０４は、隣接する燃料電池セルスタック１４の端にある燃料電池セルユニット１６の外部端子１０４（図示せず）に接続され、上述したように、１６０本の燃料電池セルユニット１６の全てが直列接続されるようになっている。
【００３７】
次に図６により本実施形態による固体電解質型燃料電池（ＳＯＦＣ）に取り付けられたセンサ類等について説明する。図６は、本発明の一実施形態による固体電解質型燃料電池（ＳＯＦＣ）を示すブロック図である。
図６に示すように、固体電解質型燃料電池１は、制御部１１０を備え、この制御部１１０には、使用者が操作するための「ＯＮ」や「ＯＦＦ」等の操作ボタンを備えた操作装置１１２、発電出力値（ワット数）等の種々のデータを表示するための表示装置１１４、及び、異常状態のとき等に警報（ワーニング）を発する報知装置１１６が接続されている。なお、この報知装置１１６は、遠隔地にある管理センタに接続され、この管理センタに異常状態を通知するようなものであっても良い。
【００３８】
次に、制御部１１０には、以下に説明する種々のセンサからの信号が入力されるようになっている。
先ず、可燃ガス検出センサ１２０は、ガス漏れを検知するためのもので、燃料電池モジュール２及び補機ユニット４に取り付けられている。
ＣＯ検出センサ１２２は、本来排気ガス通路８０等を経て外部に排出される排気ガス中のＣＯが、燃料電池モジュール２及び補機ユニット４を覆う外部ハウジング（図示せず）へ漏れたかどうかを検知するためのものである。
貯湯状態検出センサ１２４は、図示しない給湯器におけるお湯の温度や水量を検知するためのものである。
【００３９】
電力状態検出センサ１２６は、インバータ５４及び分電盤（図示せず）の電流及び電圧等を検知するためのものである。
発電用空気流量検出センサ１２８は、発電室１０に供給される発電用空気の流量を検出するためのものである。
改質用空気流量センサ１３０は、改質器２０に供給される改質用空気の流量を検出するためのものである。
燃料流量センサ１３２は、改質器２０に供給される燃料ガスの流量を検出するためのものである。
【００４０】
水流量センサ１３４は、改質器２０に供給される純水（水蒸気）の流量を検出するためのものである。
水位センサ１３６は、純水タンク２６の水位を検出するためのものである。
圧力センサ１３８は、改質器２０の外部の上流側の圧力を検出するためのものである。
排気温度センサ１４０は、温水製造装置５０に流入する排気ガスの温度を検出するためのものである。
【００４１】
発電室温度センサ１４２は、図３に示すように、燃料電池セル集合体１２の近傍の前面側と背面側に設けられ、燃料電池セルスタック１４の近傍の温度を検出して、燃料電池セルスタック１４（即ち燃料電池セル８４自体）の温度を推定するためのものである。
燃焼室温度センサ１４４は、燃焼室１８の温度を検出するためのものである。
排気ガス室温度センサ１４６は、排気ガス室７８の排気ガスの温度を検出するためのものである。
改質器温度センサ１４８は、改質器２０の温度を検出するためのものであり、改質器２０の入口温度と出口温度から改質器２０の温度を算出する。
外気温度センサ１５０は、固体電解質型燃料電池（ＳＯＦＣ）が屋外に配置された場合、外気の温度を検出するためのものである。また、外気の湿度等を測定するセンサを設けるようにしても良い。
【００４２】
これらのセンサ類からの信号は、制御部１１０に送られ、制御部１１０は、これらの信号によるデータに基づき、水流量調整ユニット２８、燃料流量調整ユニット３８、改質用空気流量調整ユニット４４、発電用空気流量調整ユニット４５に、制御信号を送り、これらのユニットにおける各流量を制御するようになっている。
また、制御ユニット１１０は、インバータ５４に、制御信号を送り、電力供給量を制御するようになっている。
【００４３】
次に図７により本実施形態による固体電解質型燃料電池（ＳＯＦＣ）による起動時の動作を説明する。図７は、本発明の一実施形態による固体電解質型燃料電池（ＳＯＦＣ）の起動時の動作を示すタイムチャートである。
最初は、燃料電池モジュール２を温めるために、無負荷状態で、即ち、燃料電池モジュール２を含む回路を開いた状態で、運転を開始する。このとき、回路に電流が流れないので、燃料電池モジュール２は発電を行わない。
【００４４】
先ず、改質用空気流量調整ユニット４４から改質用空気を第１ヒータ４６を経由して燃料電池モジュール２の改質器２０へ供給する。また、同時に、発電用空気流量調整ユニット４５から発電用空気を第２ヒータ４８を経由して燃料電池モジュール２の空気用熱交換器２２へ供給し、この発電用空気が、発電室１０及び燃焼室１８に到達する。
この直ぐ後、燃料流量調整ユニット３８からも燃料ガスが供給され、改質用空気が混合された燃料ガスが、改質器２０及び燃料電池セルスタック１４、燃料電池セルユニット１６を通過して、燃焼室１８に到達する。
【００４５】
次に、点火装置８３により着火して、燃焼室１８にある燃料ガスと空気（改質用空気及び発電用空気）とを燃焼させる。この燃料ガスと空気との燃焼により排気ガスが生じ、この排気ガスにより、発電室１０が暖められ、また、排気ガスが燃料電池モジュール２の密封空間８内を上昇する際、改質器２０内の改質用空気を含む燃料ガスを暖めると共に、空気熱交換器２２内の発電用空気も暖める。
【００４６】
このとき、燃料流量調整ユニット３８及び改質用空気流量調整ユニット４４により、改質用空気が混合された燃料ガスが改質器２０に供給されているので、改質器２０において、式（１）に示す部分酸化改質反応ＰＯＸが進行する。この部分酸化改質反応ＰＯＸは、発熱反応であるので、起動性が良好となる。また、この昇温した燃料ガスが燃料ガス供給管６４により燃料電池セルスタック１４の下方に供給され、これにより、燃料電池セルスタック１４が下方から加熱され、また、燃焼室１８も燃料ガスと空気が燃焼して昇温されているので、燃料電池セルスタック１４は、上方からも加熱され、この結果、燃料電池セルスタック１４は、上下方向において、ほぼ均等に昇温可能となっている。この部分酸化改質反応ＰＯＸが進行しても、燃焼室１８では継続して燃料ガスと空気との燃焼反応が持続される。
【００４７】
ＣmＨn＋ｘＯ2  →  aＣＯ2＋ｂＣＯ＋ｃＨ2                （１）
【００４８】
部分酸化改質反応ＰＯＸの開始後、改質器温度センサ１４８により改質器２０が所定温度（例えば、６００℃）になったことを検知したとき、水流量調整ユニット２８、燃料流量調整ユニット３８及び改質用空気流量調整ユニット４４により、燃料ガスと改質用空気と水蒸気とを予め混合したガスを改質器２０に供給する。このとき、改質器２０においては、上述した部分酸化改質反応ＰＯＸと後述する水蒸気改質反応ＳＲとが併用されたオートサーマル改質反応ＡＴＲが進行する。このオートサーマル改質反応ＡＴＲは、熱的に内部バランスが取れるので、改質器２０内では熱的に自立した状態で反応が進行する。即ち、酸素（空気）が多い場合には部分酸化改質反応ＰＯＸによる発熱が支配的となり、水蒸気が多い場合には水蒸気改質反応ＳＲによる吸熱反応が支配的となる。この段階では、既に起動の初期段階は過ぎており、発電室１０内がある程度の温度まで昇温されているので、吸熱反応が支配的であっても大幅な温度低下を引き起こすことはない。また、オートサーマル改質反応ＡＴＲが進行中も、燃焼室１８では燃焼反応が継続して行われている。
【００４９】
式（２）に示すオートサーマル改質反応ＡＴＲの開始後、改質器温度センサ１４６により改質器２０が所定温度（例えば、７００℃）になったことを検知したとき、改質用空気流量調整ユニット４４による改質用空気の供給を停止すると共に、水流量調整ユニット２８による水蒸気の供給を増加させる。これにより、改質器２０には、空気を含まず燃料ガスと水蒸気のみを含むガスが供給され、改質器２０において、式（３）の水蒸気改質反応ＳＲが進行する。
【００５０】
ＣmＨn＋ｘＯ2＋ｙＨ2Ｏ  →  aＣＯ2＋ｂＣＯ＋ｃＨ2       （２）
ＣmＨn＋ｘＨ2Ｏ  →  aＣＯ2＋ｂＣＯ＋ｃＨ2              （３）
【００５１】
この水蒸気改質反応ＳＲは吸熱反応であるので、燃焼室１８からの燃焼熱と熱バランスをとりながら反応が進行する。この段階では、燃料電池モジュール２の起動の最終段階であるため、発電室１０内が十分高温に昇温されているので、吸熱反応が進行しても、発電室１０が大幅な温度低下を招くこともない。また、水蒸気改質反応ＳＲが進行しても、燃焼室１８では継続して燃焼反応が進行する。
【００５２】
このようにして、燃料電池モジュール２は、点火装置８３により点火した後、部分酸化改質反応ＰＯＸ、オートサーマル改質反応ＡＴＲ、水蒸気改質反応ＳＲが、順次進行することにより、発電室１０内の温度が徐々に上昇する。次に、発電室１０内及び燃料電池セル８４の温度が燃料電池モジュール２を安定的に作動させる定格温度よりも低い所定の発電温度に達したら、燃料電池モジュール２を含む回路を閉じ、燃料電池モジュール２による発電を開始し、それにより、回路に電流が流れる。燃料電池モジュール２の発電により、燃料電池セル８４自体も発熱し、燃料電池セル８４の温度も上昇する。この結果、燃料電池モジュール２を作動させる定格定格温度、例えば、６００℃〜８００℃になる。
【００５３】
この後、定格温度を維持するために、燃料電池セル８４で消費される燃料ガス及び空気の量よりも多い燃料ガス及び空気を供給し、燃焼室１８での燃焼を継続させる。なお、発電中は、改質効率の高い水蒸気改質反応ＳＲで発電が進行する。
【００５４】
次に、図８により本実施形態による固体電解質型燃料電池（ＳＯＦＣ）の運転停止時の動作を説明する。図８は、本実施形態により固体電解質型燃料電池（ＳＯＦＣ）の運転停止時の動作を示すタイムチャートである。
図８に示すように、燃料電池モジュール２の運転停止を行う場合には、先ず、燃料流量調整ユニット３８及び水流量調整ユニット２８を操作して、燃料ガス及び水蒸気の改質器２０への供給量を減少させる。
【００５５】
また、燃料電池モジュール２の運転停止を行う場合には、燃料ガス及び水蒸気の改質器２０への供給量を減少させると同時に、改質用空気流量調整ユニット４４による発電用空気の燃料電池モジュール２内への供給量を増大させて、燃料電池セル集合体１２及び改質器２０を空気により冷却し、これらの温度を低下させる。その後、発電室の温度が所定温度、例えば、４００℃まで低下したとき、燃料ガス及び水蒸気の改質器２０への供給を停止し、改質器２０の水蒸気改質反応ＳＲを終了する。この発電用空気の供給は、改質器２０の温度が所定温度、例えば、２００℃まで低下するまで、継続し、この所定温度となったとき、発電用空気流量調整ユニット４５からの発電用空気の供給を停止する。
【００５６】
このように、本実施形態においては、燃料電池モジュール２の運転停止を行うとき、改質器２０による水蒸気改質反応ＳＲと発電用空気による冷却とを併用しているので、比較的短時間に、燃料電池モジュールの運転を停止させることができる。
【００５７】
次に、図９〜図１１を参照して、本実施形態による固体電解質型燃料電池（ＳＯＦＣ）による再起動時の動作を説明する。図９は、本実施形態による固体電解質型燃料電池（ＳＯＦＣ）の通常起動時と再起動時の動作の各運転状態における燃料流量、改質用空気流量、発電用空気流量、水流量、及び、改質器及びスタックの移行温度条件を示すデータテーブルである。
【００５８】
まず、図９に示すように、本実施形態による固体電解質型燃料電池（ＳＯＦＣ）は、上述した図７に示す本実施形態による固体電解質型燃料電池（ＳＯＦＣ）の起動時の動作と同一の動作を運転の通常起動時の動作として実行する制御モード（以下「通常起動モード」）を備えている。
また、本実施形態による固体電解質型燃料電池（ＳＯＦＣ）は、図８に示す本実施形態による固体電解質型燃料電池（ＳＯＦＣ）の停止動作が実行されている状態で運転の起動（いわゆる「再起動」）が要求された場合にこの運転の再起動を実行する再起動制御モード（以下「再起動モード」）を備え、これらの再起動モードのそれぞれは、対応する再起動制御フローに基づいて実行されるようになっている。
なお、図９における通常起動モード及び再起動モードの詳細については後述する。
【００５９】
つぎに、図１０により、本実施形態による固体電解質型燃料電池（ＳＯＦＣ）の再起動制御フローを具体的に説明する。図１０は、本発明の一実施形態による固体電解質型燃料電池（ＳＯＦＣ）において再起動を行うための再起動制御フローを示すフローチャートである。図１０において、Ｓは各ステップを示している。
まず、Ｓ１において、燃料電池モジュール２が停止運転中か否かを判定し、停止運転中である場合には、Ｓ２に進み、再起動を要求するか否かを判定する。
【００６０】
Ｓ２において、再起動を要求すると判定した場合には、Ｓ３に進み、改質器２０による改質状態を変更するための改質状態温度を検出する改質状態温度検出手段の一部である改質器温度センサ１４８により改質器２０の温度（以下「改質器温度Ｔｒ」）を測定した後、Ｓ４に進み、改質器２０による改質状態を変更するための改質状態温度を検出する改質状態温度検出手段の一部である発電室温度センサ１４２により燃料電池セルスタック１４（即ち燃料電池セル８４自体）の近傍の温度であるスタック温度Ｔｓを測定する。
つぎに、Ｓ５に進み、改質器温度Ｔｒが５００℃以上であるか否かを判定する。
【００６１】
Ｓ５において、改質器温度Ｔｒが５００℃以上でないと判定した場合には、Ｓ６に進み、改質器温度Ｔｒが２００℃未満であるか否かを判定する。
Ｓ６において、改質器温度Ｔｒが２００℃未満でない、すなわち、改質器温度Ｔｒが２００℃以上５００℃未満であると判定した場合には、Ｓ７に進み、改質器温度Ｔｒが２００℃以上２３０℃未満であるか否かを判定する。
【００６２】
Ｓ７において、改質器温度Ｔｒが２００℃以上２３０℃未満でない、すなわち、改質器温度Ｔｒが２３０℃以上５００℃未満であると判定した場合には、Ｓ８に進み、点火装置８３による燃料ガスの着火を禁止して再起動を保留し、停止運転を継続させる。
そして、改質器温度Ｔｒが２００℃以上２３０℃未満の温度帯域内まで低下した時点で、Ｓ７からＳ９に進み、点火装置８３による燃料ガスの着火を開始し、この着火直後に図９に示すデータテーブル中の「再起動モード」による「再起動ＰＯＸ」を実行する。
【００６３】
また、Ｓ５において、改質器温度Ｔｒが５００℃以上であると判定した場合には、Ｓ１０に進み、改質器温度Ｔｒが６００℃以上であるか否かを判定する。
Ｓ１０において、改質器温度Ｔｒが６００℃以上でない、すなわち、改質器温度Ｔｒが５００℃以上６００℃未満であると判定した場合には、Ｓ１１に進み、図９に示すデータテーブル中の「再起動モード」による「通常起動ＡＴＲ」を実行する。
【００６４】
一方、Ｓ１０において、改質器温度Ｔｒが６００℃以上であると判定した場合には、Ｓ１２に進み、発電室温度センサ１４２により測定されたスタック温度Ｔｓが６００℃以上であるか否かを判定する。
Ｓ１２において、スタック温度Ｔｓが６００℃以上であると判定した場合には、Ｓ１３に進み、図９に示すデータテーブル中の「再起動モード」による「通常起動ＳＲ」を実行する。一方、Ｓ１２において、スタック温度Ｔｓが６００℃以上でない、すなわち、改質器温度Ｔｒが６００℃以上であるにもかかわらず、スタック温度Ｔｓが６００℃未満であると判定した場合には、Ｓ１１に進み、図９に示すデータテーブル中の「再起動モード」による「通常起動ＡＴＲ」を実行する。
【００６５】
つぎに、Ｓ１において、燃料電池モジュール２が停止運転中か否かを判定し、停止運転中でない場合には、Ｓ１４に進み、起動中の失火に基づく再起動の要求があるか否かを判定する。
Ｓ１４において、失火に基づく再起動の要求があると判定した場合、及び、Ｓ６において、改質器温度Ｔｒが２００℃未満であると判定した場合には、温度センサーの値は見かけ上高くても燃料電池モジュール全てが長時間高温状態になっているわけではないので満遍なく蓄熱されている状況にないことから余熱に基く再起動制御が実行できる状況にはないのでＳ１５に進み、図９に示すデータテーブル中の「通常起動モード」に基いて再起動を実行する。
【００６６】
つぎに、図９〜図１１を参照しながら、図１０に示す本実施形態による固体電解質型燃料電池（ＳＯＦＣ）の再起動制御フローに基づいて再起動を実行した場合の動作をより具体的に説明する。
図１１は、図１０に示す本実施形態による固体電解質型燃料電池（ＳＯＦＣ）の再起動制御フローに基づいて再起動を実行した場合の動作を示すタイムチャートについて、通常起動時の動作を示すタイムチャートと比較した図である。
なお、図１１の上段のタイムチャートは、図９に示すデータテーブル中の「通常起動モード」を実行した場合における固体電解質型燃料電池（ＳＯＦＣ）の通常起動の動作を示すタイムチャートであり、図１１の下段のタイムチャートは、図９に示すデータテーブル中の「再起動モード」を実行した場合における固体電解質型燃料電池（ＳＯＦＣ）の再起動の動作を示すタイムチャートである。
【００６７】
また、以下の本実施形態による固体電解質型燃料電池（ＳＯＦＣ）の再起動制御フローに基づく再起動の動作の説明については、図９に示す「通常起動モード」と「再起動モード」に関するデータテーブルのみを参照すると共に、図１１に示す本実施形態の固体電解質型燃料電池（ＳＯＦＣ）の「再起動モード」による再起動時の動作について、「通常起動モード」による通常起動時の動作と比較しながら説明する。
【００６８】
まず、図９に示す「通常起動モード」のデータテーブルの見方について説明する。
図９に示す「通常起動モード」の「状態」という欄は、上段から下段に向かって時系列順に通常起動時の各運転状態をそれぞれ表したものであり、各運転状態について、「着火時」、「燃焼運転」、「通常起動ＰＯＸ」、「通常起動ＡＴＲ」、「通常起動ＳＲ」と略記して区別している。
ちなみに、図１１における「通常起動モード」のタイムチャートの横軸である時間ｔについては、「着火時」の時間をｔ１とし、順次「通常起動ＰＯＸ」、「通常起動ＡＴＲ」、及び、「通常起動ＳＲ」へと移行するときの時間をそれぞれｔ２、ｔ３、及び、ｔ４とし、時間ｔにおいて改質器温度センサ１４８が検出した改質器２０の温度をＴｒ（ｔ）とし、時間ｔにおいて発電室温度センサ１４２により測定されたスタック温度をＴｓ（ｔ）とする。
【００６９】
図９に示す「通常起動モード」の「着火時」という運転状態は、点火装置８３を点火し、燃料ガスが着火して燃焼を開始した状態であり、この着火時（ｔ＝ｔ１）に改質器温度センサ１４８が検出した改質器２０の温度を「着火時温度Ｔｒ（ｔ１）」とすると、この着火時温度Ｔｒ（ｔ１）は、ＰＯＸが開始するとき（ｔ＝ｔ２）の改質器２０の温度（以下「ＰＯＸ開始温度Ｔｒ（ｔ２）」）（＝３００℃）よりも低くなっている。
【００７０】
つぎに、「通常起動モード」の「燃焼運転」という運転状態は、燃料ガスの着火後に燃焼を開始してから、この燃料ガスの燃焼熱によって改質器２０を加熱して燃焼運転を実行する制御帯域（以下「燃焼運転制御帯域Ｂ１」）で起動を制御しており、改質器温度センサ１４８が検出した改質器２０の温度が着火時温度Ｔｒ（ｔ１）からＰＯＸ開始温度Ｔｒ（ｔ２）（＝３００℃）未満までの温度帯域Ｗ１で実行されるものである。
【００７１】
つぎに、「通常起動モード」の「通常起動ＰＯＸ」という運転状態は、改質器温度センサ１４８が検出した改質器２０の温度Ｔｒ（ｔ）がＰＯＸ開始温度Ｔｒ（ｔ２）（＝３００℃）以上であり且つＳＲが可能なＳＲ可能温度（以下「ＳＲ可能温度Ｔｒ（ｔ３）」）（＝６００℃）未満までの温度帯域（以下「通常起動ＰＯＸ温度帯域Ｗ２」）内にあるとき（３００℃≦Ｔｒ（ｔ）＜６００℃）、ＰＯＸによる反応熱と燃料ガスの燃焼熱によって改質器２０を加熱してＰＯＸを実行する制御帯域（以下「通常起動モードＰＯＸ制御帯域Ｂ２」）で起動を制御している。
【００７２】
つぎに、「通常起動モード」の「通常起動ＡＴＲ」という運転状態は、改質器温度センサ１４８が検出した改質器２０の温度Ｔｒ（ｔ）がＳＲ可能温度Ｔｒ（ｔ３）（＝６００℃）以上であり且つ所定の定常温度Ｔｒ（ｔ４）（＝６５０℃）未満までの温度帯域（６００℃≦Ｔｒ（ｔ）＜６５０℃）（以下「通常起動ＡＴＲ温度帯域Ｗ３」）にあり、且つ、発電室温度センサ１４２により測定されたスタック温度Ｔｓが２５０℃以上６００℃未満までの温度帯域（２５０℃≦Ｔｓ＜６００℃）にあるとき、ＰＯＸによる反応熱と燃料ガスの燃焼熱とＳＲによる吸熱を制御して改質器２０を加熱し、ＡＴＲを実行する制御帯域（以下「通常起動モードＡＴＲ制御帯域Ｂ３」）で起動を制御している。
【００７３】
つぎに、「通常起動モード」の「通常起動ＳＲ」という運転状態は、改質器温度センサ１４８が検出した改質器２０の温度Ｔｒ（ｔ）が６５０℃以上の所定の定常温度Ｔｒ（ｔ４）であり、且つ、発電室温度センサ１４２により測定されたスタック温度Ｔｓが６００℃以上にある場合にＳＲを実行する制御帯域（以下「通常起動モードＳＲ制御帯域Ｂ４」）で起動を制御している。
【００７４】
なお、図９に示す「燃料流量」という欄は、補機ユニット４の燃料ガス供給手段である燃料流量調整ユニット３８から改質器２０に供給される燃料ガスの流量［Ｌ／ｍｉｎ］を示している。
また、図９に示す「改質用空気流量」という欄は、各運転状態において、補機ユニット４の酸化剤ガス供給手段である空気流量調整ユニット４４から、酸化剤ガス加熱手段である第１ヒータ４６を経て改質器２０に供給される酸化剤ガス（改質用空気）の流量［Ｌ／ｍｉｎ］を示している。
【００７５】
さらに、図９に示す「発電用空気流量」という欄は、各運転状態において、補機ユニット４の発電用空気流量調整ユニット４５から第２ヒータ４８を経て発電室１０に供給される発電用空気の流量［Ｌ／ｍｉｎ］を示している。
また、図９に示す「水流量」という欄は、各運転状態において、補機ユニット４の純水を生成して改質器２０に供給する水供給手段である水流量調整ユニット２８から改質器２０に供給される純水の流量［ｃｃ／ｍｉｎ］を示している。
【００７６】
さらに、図９に示す「移行温度条件」の「改質器温度」及び「スタック温度」という欄については、運転状態が次の運転状態に移行する際の改質器２０の温度及び燃料電池セルスタック１４の温度を示している。
より具体的に説明すると、例えば、「通常起動モード」の「燃焼運転」の状態欄における「移行温度条件」の「改質器温度」は「３００℃以上」と示されているが、このことは、改質器温度センサ１４８が検出した改質器２０の温度Ｔｒ（ｔ）が３００℃以上になると、「燃焼運転」の運転状態が「通常起動ＰＯＸ」の運転状態へ移行されることを意味している。
同様に、「通常起動モード」の「通常起動ＰＯＸ」の状態欄における「移行温度条件」の「改質器温度」は「６００℃以上」と示されており、「スタック温度」は「２５０℃以上」と示されているが、このことは、改質器温度センサ１４８が検出した改質器２０の温度Ｔｒ（ｔ）が６００℃以上になり、発電室温度センサ１４２により測定されたスタック温度Ｔｓが２５０℃以上になると、「通常起動ＰＯＸ」の運転状態から「通常起動ＡＴＲ」の運転状態へ移行されることを意味している。
【００７７】
つぎに、図９に示す「再起動モード」のデータテーブルの見方について説明するが、上述した「通常起動モード」のデータテーブルの見方と基本的には同様であるため、「通常起動モード」のデータテーブルとの相違点や特徴的な点に着目して説明する。
まず、図９に示す「再起動モード」の「状態」という欄は、上段から下段に向かって時系列順に再起動時の各運転状態をそれぞれ表したものであり、各運転状態について、「着火時」、「再起動ＰＯＸ」、「着火禁止」、「通常起動ＡＴＲ」、「通常起動ＳＲ」と略記している。
ちなみに、図１１における「再起動モード」のタイムチャートの横軸である時間ｔについては、「着火時」の時間をｔ１１とし、順次「再起動ＰＯＸ」、「通常起動ＡＴＲ」、及び、「通常起動ＳＲ」へと移行するときの時間をそれぞれｔ１２、ｔ１３、及び、ｔ１４とする。
【００７８】
つぎに、図９に示す「再起動モード」の「着火時」という運転状態は、燃料電池モジュール２の停止運転中に再起動が要求された場合に、改質器温度センサ１４８が検出した改質器２０の温度Ｔｒ（ｔ）が、上述した「通常起動モード」の通常起動モードＰＯＸ制御帯域Ｂ２のＰＯＸ開始温度Ｔｒ（ｔ２）（＝３００℃）よりも低い所定温度Ｔｒ（ｔ１１）（＝２００℃）未満である場合には、「通常起動モード」に基づく通常起動が「通常起動モード」の着火後の「燃焼運転」から実行されるようになっている（図１０のＳ６及びＳ１５参照）。
一方、改質器２０の温度Ｔｒ（ｔ１１）が所定温度（＝２００℃）以上である場合には、点火装置８３を点火し、燃料ガスの着火後、直ちに「再起動モード」の「再起動ＰＯＸ」の運転状態に移行される（図１０のＳ７及びＳ９参照）。
なお、図９に示す「再起動モード」の「着火時」の「燃料流量」は５．５［Ｌ／ｍｉｎ］であり、「通常起動モード」の「着火時」の「燃料流量」（６．０［Ｌ／ｍｉｎ］）よりも少なくなっている。
【００７９】
つぎに、図９及び図１０のＳ９に示す「再起動モード」の「再起動ＰＯＸ」という運転状態は、改質器温度センサ１４８が検出した改質器２０の温度Ｔｒ（ｔ１１）が所定温度（＝２００℃）以上である場合に、点火装置８３を点火し、燃料ガスの着火後、直ちに移行してＰＯＸを実行する制御帯域（以下「再起動モードＰＯＸ制御帯域Ｂ１２」）で再起動を制御している。
この「再起動モード」の再起動モードＰＯＸ制御帯域Ｂ１２で実行される「再起動ＰＯＸ」の運転状態は、「通常起動モード」の通常起動モードＰＯＸ制御帯域Ｂ２で実行される「通常起動ＰＯＸ」とは異なる運転状態となっている。
【００８０】
より具体的に説明すると、「再起動モード」の再起動モードＰＯＸ制御帯域Ｂ１２で「再起動ＰＯＸ」が実行される改質器２０の温度帯域（以下「再起動ＰＯＸ温度帯域Ｗ１２」）は、「通常起動モード」の通常起動モードＰＯＸ制御帯域Ｂ２で「通常起動ＰＯＸ」が実行される通常起動ＰＯＸ温度帯域Ｗ２（３００℃≦Ｔｒ（ｔ）＜６００℃）よりも低温側の温度帯域（２００℃≦Ｔｒ（ｔ）＜２３０℃）となっている。
また、「再起動モード」の「再起動ＰＯＸ」の運転状態における「燃料流量」は５．５［Ｌ／ｍｉｎ］であり、「通常起動モード」の「着火時」及び「燃焼運転」の運転状態における「燃料流量」（６．０［Ｌ／ｍｉｎ］）よりは少ないが、「通常起動モード」の「通常起動ＰＯＸ」の運転状態における「燃料流量」（５．０［Ｌ／ｍｉｎ］）よりは多くなっている。
【００８１】
さらに、「再起動モード」の「再起動ＰＯＸ」の運転状態における「改質用空気流量」は１７．０［Ｌ／ｍｉｎ］であり、「通常起動モード」の「通常起動ＰＯＸ」の運転状態における「改質用空気流量」（１８．０［Ｌ／ｍｉｎ］）よりは少なくなっている。
【００８２】
つぎに、図９に示す「再起動モード」の「着火禁止」という運転状態は、点火装置８３による燃料ガスの着火を禁止して再起動を禁止し、停止運転を継続させている制御帯域（（以下「再起動モード着火禁止制御帯域」）で再起動を制御している（図１０のＳ８参照）。
より具体的に説明すると、「再起動モード」の再起動モード着火禁止制御帯域で「着火禁止」が実行される改質器２０の温度帯域（以下「着火禁止温度帯域」）は、「再起動モード」の再起動ＰＯＸ温度帯域Ｗ１２よりも高温側にある２３０℃以上５００℃未満の温度帯域となっている。
【００８３】
また、「再起動モード」の再起動モード着火禁止制御帯域においては、特に、「再起動モード」の着火禁止温度帯域内の３００℃以上５００℃未満の部分が「通常起動モード」の通常起動ＰＯＸ温度帯域Ｗ２（３００℃≦Ｔｒ（ｔ）＜６００℃）内の一部分の温度帯域と重複しているにもかかわらず、「通常起動モード」の「通常起動ＰＯＸ」は実行されない。
【００８４】
さらに、「再起動モード」の再起動モード着火禁止制御帯域においては、改質器温度Ｔｒが着火禁止温度帯域内（２３０℃≦Ｔｒ＜５００℃）から２３０℃未満に低下した時点で、点火装置８３による燃料ガスの着火を開始し、この着火直後に図９に示すデータテーブル中の「再起動モード」による「再起動ＰＯＸ」を実行するようになっている（図１０のＳ７及びＳ９参照）。
【００８５】
つぎに、図９及び図１０のＳ１１に示す「再起動モード」の「通常起動ＡＴＲ」という運転状態は、改質器２０の温度Ｔｒ（ｔ）が「通常起動モード」の通常起動ＰＯＸ温度帯域Ｗ２に相当する温度帯域内にあり、且つ「再起動モード」の着火禁止温度帯域よりも高温側にある５００℃以上６００℃未満の温度帯域（以下「再起動ＡＴＲ温度帯域Ｗ１３」内にあるときに、「通常起動モード」の「通常起動ＡＴＲ」と同一のＡＴＲを実行する制御帯域（以下「再起動モードＡＴＲ制御帯域Ｂ１３」）で再起動を制御している。
【００８６】
つぎに、図９及び図１０のＳ１３に示す「再起動モード」の「通常起動ＳＲ」という運転状態は、「通常起動モード」の「通常起動ＳＲ」の「移行温度条件」と同一の条件によって「通常起動モード」の「通常起動ＳＲ」と同一のＳＲを実行する制御帯域（以下「再起動モードＳＲ制御帯域Ｂ１４」）で再起動を制御している。
【００８７】
また、図１１に示すように、「再起動モード」の「再起動ＰＯＸ」から「通常起動ＡＴＲ」に移行するときの時間ｔ１３は、「通常起動モード」の「通常起動ＰＯＸ」から「通常起動ＡＴＲ」に移行するときの時間ｔ３よりも少ない時間となっている。
【００８８】
さらに、「再起動モード」の「通常起動ＡＴＲ」から「通常起動ＳＲ」に移行するときの時間ｔ１４についても、「通常起動モード」の「通常起動ＡＴＲ」から「通常起動ＳＲ」に移行するときの時間ｔ４よりも少ない時間となっており、再起動による起動時間が通常起動による起動時間に比べて短くなっている。
【００８９】
上述した本実施形態の固体電解質型燃料電池（ＳＯＦＣ）における再起動制御フローによる再起動制御によれば、燃料電池モジュール２の運転の停止により改質器２０の温度Ｔｒ（ｔ）が「通常起動モード」の通常起動ＰＯＸ温度帯域Ｗ２に相当する温度帯域内にあるときには、燃料電池セルスタック１４や改質器２０に残存している余熱を積極的に利用することにより、たとえ改質器２０の温度Ｔｒ（ｔ）が通常起動ＰＯＸ温度帯域Ｗ２内にあっても、「通常起動モード」による通常起動モードＰＯＸ制御帯域Ｂ２の「通常起動ＰＯＸ」の実行を禁止し、この禁止した「通常起動モード」の「通常起動ＰＯＸ」の代わりに、この「通常起動ＰＯＸ」とは異なる再起動制御を実行することができる。
この結果、再起動時に「通常起動モード」による通常起動モードＰＯＸ制御帯域Ｂ２の通常起動ＰＯＸの実行を禁止することなくそのまま通常起動ＰＯＸを実行した場合に比べて、燃料電池セル８４の酸化や異常高温による燃料電池セル８４への負担を軽減することができ、燃料電池セル８４の耐久性を向上させることができる。
【００９０】
また、燃料電池セル８４や改質器２０に残存している余熱を積極的に利用して「通常起動モード」の「通常起動ＰＯＸ」とは異なる再起動制御を実行することにより、起動時間を大幅に短縮することができる。
さらに、例えば、起動時の失火に基づいて再起動を行った場合（図１０のＳ１４及びＳ１５参照）には、「再起動モード」による再起動を禁止して、「通常起動モード」による起動を実行することができるため、燃料電池セルユニット１６のダメージを抑制することができる。
【００９１】
また、本実施形態の固体電解質型燃料電池（ＳＯＦＣ）における再起動制御フローによる再起動制御によれば、「再起動モード」の着火禁止温度帯域（２３０℃≦Ｔｒ＜５００℃）よりも高温側にある「再起動モード」の再起動ＡＴＲ温度帯域Ｗ１３（５００℃≦Ｔｒ＜６００℃）においては、「通常起動モード」の通常起動モードＡＴＲ制御帯域Ｂ３の通常起動ＡＴＲと同一のＡＴＲによる再起動を実行する一方で、「再起動モード」の着火禁止温度帯域（２３０℃≦Ｔｒ＜５００℃）では「通常起動モード」の「通常起動ＰＯＸ」による再起動を禁止すると共に、改質器２０の温度Ｔｒ（ｔ）が２３０℃未満に低下するのを待った後に、「再起動モード」の「再起動ＰＯＸ」による再起動を実行するため、高温状態でＰＯＸを実行することによる燃料電池セル８４へのダメージを抑制しつつ、ＰＯＸによる発熱反応によって迅速に燃料電池モジュールの温度回復を図り、速やかに再起動を行うことができる。
【００９２】
さらに、本実施形態の固体電解質型燃料電池（ＳＯＦＣ）における再起動制御フローによる再起動制御によれば、再起動時に燃料電池セル８４や改質器２０に残存している余熱を積極的に利用して、「再起動モード」の「通常起動ＡＴＲ」を実行する温度範囲を「通常起動モード」の「通常起動ＰＯＸ」のＰＯＸ温度帯域Ｗ２内の所定温度以上の範囲（５００℃≦Ｔｒ＜６００℃）まで拡大することにより、燃料電池セル８４への影響を抑えながら安定した状態で、かつ短時間で温度上昇を図ることができる。
すなわち、再起動時に改質器２０や燃料電池セルスタック１４に残存している余熱が積極的に利用できる「通常起動モード」のＰＯＸの温度帯域Ｗ２（３００℃≦Ｔｒ＜６００℃、Ｔｓ＜２５０℃）では、「再起動モード」の「通常起動ＡＴＲ」を実行するように「通常起動モード」のＰＯＸの温度帯域Ｗ２（３００℃≦Ｔｒ＜６００℃、Ｔｓ＜２５０℃）内の所定温度以上（５００℃≦Ｔｒ＜６００℃、５００℃≦Ｔｒ＜６００℃）まで「再起動モード」の「通常起動ＡＴＲ」の運転範囲を拡大し、酸化影響のない所定温度以下（２００℃≦Ｔｒ＜２３０℃）では「再起動モード」の「再起動ＰＯＸ」による再起動を図り、中間温度（２３０℃≦Ｔｒ＜５００℃）では再起動を禁止して停止処理制御によって温度降下を図った上で再起動を行うことによって、燃料電池セルスタック１４への影響を抑えながら安定した状態でかつ短時間で温度上昇を図ることができる。
【００９３】
また、本実施形態の固体電解質型燃料電池（ＳＯＦＣ）における再起動制御フローによる再起動制御によれば、「再起動モード」の「再起動ＰＯＸ」が実行される再起動モードＰＯＸ制御帯域Ｂ１２においては、燃料電池セル８４や改質器２０に残存している余熱を積極的に利用することにより迅速な起動を可能にする一方で、「通常起動モード」の「通常起動ＰＯＸ」が実行される通常起動モードＰＯＸ制御帯域Ｂ２で酸化剤ガス供給手段である改質用空気流量調整ユニット４４から改質器２０に供給される酸化剤ガス（改質用空気）の供給量よりも少ない酸化剤ガス（改質用空気）によって「再起動ＰＯＸ」を実行することができ、酸化剤ガスが多く投入されることによって余熱の影響で燃料電池セルスタック１４に酸化影響を与えることを防止することができる。
【符号の説明】
【００９４】
１  固体電解質型燃料電池
２  燃料電池モジュール
４  補機ユニット
８  密封空間
１０  発電室
１２  燃料電池セル集合体
１４  燃料電池セルスタック
１６  燃料電池セルユニット
１８  燃焼室
２０  改質器
２２  空気用熱交換器
２４  水供給源
２６  純水タンク
２８  水流量調整ユニット
３０  燃料供給源
３８  燃料流量調整ユニット
４０  空気供給源
４４  改質用空気流量調整ユニット
４５  発電用空気流量調整ユニット
４６  第１ヒータ
４８  第２ヒータ
５０  温水製造装置
５２  制御ボックス
５４  インバータ
８３  点火装置
８４  燃料電池セル
１１０  制御部
１１２  操作装置
１１４  表示装置
１１６  警報装置
１２６  電力状態検出センサ
１４２  セル温度センサ
１５０  外気温度センサ
【図１】
2010238623.tif 000003
【図２】
2010238623.tif 000004
【図３】
2010238623.tif 000005
【図４】
2010238623.tif 000006
【図５】
2010238623.tif 000007
【図６】
2010238623.tif 000008
【図７】
2010238623.tif 000009
【図８】
2010238623.tif 000010
【図９】
2010238623.tif 000011
【図１０】
2010238623.tif 000012
【図１１】
2010238623.tif 000013